(57)【特許請求の範囲】
【請求項１】
筒状体と、該筒状体の外周面から外側に突出するとともに該筒状体の軸方向へ延在する第１取付リブと、を備える竪樋を建物の外壁から支持するための竪樋支持具であって、
前記外壁に当接して固定可能に設けられるとともに、長さ方向に延在する第２取付リブを有する固定レールと、
該固定レールおよび前記竪樋のそれぞれの任意の位置に係合可能な複数の連結支持具と、
を備え、
前記連結支持具は、前記第１取付リブが嵌入される第１嵌合凹部と、前記第２取付リブが嵌入される第２嵌合凹部と、が対向する両端にそれぞれ設けられていることを特徴とする竪樋支持具。
【請求項２】
前記第２取付リブは、前記第１取付リブと同形状をなし、
前記第１嵌合凹部と前記第２嵌合凹部とが同形状に形成されていることを特徴とする請求項１に記載の竪樋支持具。
【発明の詳細な説明】
【技術分野】
【０００１】
本発明は、建物の外壁に竪樋を取り付けて支持するための竪樋支持具に関する。
【背景技術】
【０００２】
従来、住宅などの建物の外壁に設置される竪樋は、一般的に竪樋支持具を外壁に固定し、この竪樋支持具に支持されている。このような竪樋支持具としては、竪樋の外周面に巻き回すように取り付けられて竪樋を締め付け保持する環状のバンド部と、このバンド部を外壁に固定する固定部とを備えたものが多用されている。しかし、この種の竪樋支持具は、竪樋の外周面に環状のバンド部が露出し、外観を損なう場合がある。そのため、近年では、外観を損なうことなく竪樋を固定支持することが可能な竪樋支持具が例えば特許文献１に提案されている。
【０００３】
特許文献１には、竪樋を外嵌保持する竪樋保持具（以下、竪樋支持具とする）が設けられ、竪樋の片面側部と反対面側部とを相異なる外形状に形成し、竪樋支持具には竪樋が嵌め込まれる略コ字状の竪樋支持部が形成され、竪樋保持具が建物の外壁に対してビスで固定される構成について記載されている。
【先行技術文献】
【特許文献】
【０００４】
【特許文献１】特開２００３−９６９９４号公報
【発明の概要】
【発明が解決しようとする課題】
【０００５】
しかしながら、上記特許文献１に示される竪樋支持具では、以下の問題があった。
すなわち、外壁の凹凸が大きい場合には、支持具自体が傾いた状態で外壁に固定されてしまう。そのため、竪樋支持具に対して竪樋を取り付ける際の嵌め合いが容易でないうえ、確実に固定されない場合があった。
また、竪樋支持具の外観を向上させるために例えば竪樋支持具の外形を小さくする場合には、ビス固定用の頭部を避けた形状にする必要があり、竪樋に対して確実に嵌合できないおそれがあることから、その点で改良の余地があった。
【０００６】
本発明は、上述する問題点に鑑みてなされたもので、外壁の凹凸にかかわらず竪樋支持具と竪樋とを確実かつ容易に固定することができる竪樋支持具を提供することを目的とする。
【課題を解決するための手段】
【０００７】
上記目的を達成するため、本発明に係る竪樋支持具は、筒状体と、該筒状体の外周面から外側に突出するとともに該筒状体の軸方向へ延在する第１取付リブと、を備える竪樋を建物の外壁から支持するための竪樋支持具であって、前記外壁に当接して固定可能に設けられるとともに、長さ方向に延在する第２取付リブを有する固定レールと、該固定レールおよび前記竪樋のそれぞれの任意の位置に係合可能な複数の連結支持具と、を備え、前記連結支持具は、前記第１取付リブが嵌入される第１嵌合凹部と、前記第２取付リブが嵌入される第２嵌合凹部と、が対向する両端にそれぞれ設けられていることを特徴としている。
【０００８】
本発明に係る竪樋支持具は、固定レールを第２取付リブの延在方向を竪樋の軸方向に沿う方向に合せて外壁に当接させて配置し、その固定レールの第２取付リブに第２嵌合凹部を嵌入させて複数の連結支持具を取り付け、これら複数の連結支持具の第１嵌合凹部に第１取付リブを嵌入させることで竪樋を取り付けることができる。このとき、複数の連結支持具は、共通の固定レールの第２取付リブに取り付けられるので、一定の姿勢に保持され、竪樋の延在方向に配列させることができる。そのため、これら竪樋支持具に対して竪樋をスムーズに取り付けることができるとともに、竪樋支持具に支持された竪樋が歪んだり湾曲したりすることを防ぐことができる。
【０００９】
また、本発明では、固定レールを外壁にビス等で固定される構成であって、連結支持具自体をビス等で固定しない構成となることから、連結支持具の構造を簡単にすることができる。しかも、固定レールを固定するためのビス等を連結支持具の直下に設けることで、そのビス頭部によって連結支持具の垂れ下がりを防止することができる。
【００１０】
また、本発明に係る竪樋支持具は、前記第２取付リブは、前記第１取付リブと同形状をなし、前記第１嵌合凹部と前記第２嵌合凹部とが同形状に形成されていることが好ましい。
【００１１】
この場合には、連結支持具における第１嵌合凹部と第２嵌合凹部とが同形状で対称形になるので、第１取付リブ又は第２取付リブを嵌入させる際に連結支持具の向きを合わせる手間がなくなり、施工が容易になる利点がある。
【発明の効果】
【００１２】
本発明の竪樋支持具によれば、外壁の凹凸にかかわらず竪樋支持具と竪樋とを確実かつ容易に固定することができる効果を奏する。
【図面の簡単な説明】
【００１３】
【図１】本発明の実施の形態による竪樋と竪樋支持具の構成を示す分解斜視図である。
【図２】竪樋支持具によって竪樋を壁面に固定させた状態を上方から見た平面図である。
【図３】竪樋支持具によって竪樋を壁面に固定させた状態の一部を示す斜視図であって、（ａ）は竪樋の斜め後方から壁面側を見た図、（ｂ）は壁面の斜め後方から竪樋を見た図である。
【図４】竪樋支持具の連結支持具の構成を示す斜視図である。
【発明を実施するための形態】
【００１４】
以下、本発明の実施の形態による竪樋支持具について、図面に基づいて説明する。
【００１５】
図１に示すように、本実施の形態による竪樋支持具１は、住宅などの建物の壁面Ｔ（外壁）に取り付けられて、鉛直方向に延在する竪樋２を支持している。
【００１６】
竪樋２は、筒状に形成された筒状体２１と、筒状体２１の外周面２１ａから筒状体２１の径方向の外側に向けて突出するとともに筒状体２１の軸方向に沿って延在する第１取付リブ２２と、を備えている。
【００１７】
第１取付リブ２２は、図２に示すように、筒状体２１の軸方向に直交する断面視において略Ｔ字状に形成されていて、筒状体２１の外周面２１ａから径方向の外側に突出する軸部２３と、軸部２３の突出方向の先端からこの突出方向に直交する方向の両側へ向けて張り出すように形成された第１係止部２４と、を備えている。そして、竪樋２には、筒状体２１、軸部２３、及び第１係止部２４に囲まれた第１溝部２５が形成されている。
【００１８】
図１乃至図３（ａ）、（ｂ）に示すように、竪樋支持具１は、壁面Ｔに沿って設けられるとともに直線状に延びる固定レール１０と、固定レール１０および竪樋２の取付けリブ２２のそれぞれの任意の位置に係合可能な複数（本実施の形態では２つ）の連結支持具３と、を備えている。
竪樋支持具１の固定レール１０および連結支持具３は、ＡＥＳ、ＡＢＳ、ポリカーボネート、ポリ塩化ビニルなどの樹脂を用いて押出成形や射出成形により成形されている。
【００１９】
固定レール１０は、長尺の板状体１１と、板状体１１の一方の外周面１１ａに直交する方向に向けて突出するとともに板状体１１の長さ方向に沿って延在する第２取付リブ１２と、を備えている。
板状体１１には、長さ方向の複数箇所（ここでは２箇所）において厚さ方向に貫通する貫通孔１１ｃが形成されている。板状体１１は、他方の外周面１１ｂが壁面Ｔに対して当接された状態で、貫通孔１１ｃに挿通された固定ビス１６によって壁面Ｔに固定される構成となっている。
【００２０】
第２取付リブ１２は、図２に示すように、板状体１１の軸方向に直交する断面視において略Ｔ字状に形成されていて、板状体１１の外周面１１ａから径方向の外側に突出する軸部１３と、軸部１３の突出方向の先端からこの突出方向に直交する方向の両側へ向けて張り出すように形成された第２係止部１４と、を備えている。そして、固定レール１０には、板状体１１、軸部１３、及び第２係止部１４に囲まれた第２溝部１５が形成されている。
【００２１】
連結支持具３は、固定レール１０と竪樋２との間に介在される略直方体状をなし、竪樋２の第１取付リブ２２、および壁面Ｔ側の固定レール１０の第２取付リブ１２のいずれか一方に固定される一対の固定部３０、３０がそれぞれ対向する両端に設けられている。一対の固定部３０、３０はそれぞれ同形状に形成されており、連結支持具３は固定レール１０および竪樋２に固定された状態で上面視において全体として対称形を呈している（図４参照）。
【００２２】
固定部３０は、内側に取付リブ１２、２２が嵌合される嵌合凹部３１（第１嵌合凹部、第２嵌合凹部）が形成されている。嵌合凹部３１は、取付リブ１２、２２を両側から挟むように配設された一対の挟持部３２、３２により形成されている。一対の挟持部３２、３２は、互いに離間するように弾性変形可能に設けられている。そして、各挟持部３２の突出先端には、第１溝部２５および第２溝部１５の内側に向けて湾曲するように突出した係止片３３が形成されている。
【００２３】
このように構成される連結支持具３は、各固定部３０Ａ、３０Ｂにおける一対の挟持部３２、３２を弾性変形により離間させつつ嵌合凹部３１に取付リブ１２、２２が嵌入可能に構成されている。このとき、係止片３３は、第１溝部２５および第２溝部１５内に係止されるので、連結支持具３が固定レール１０および竪樋２に対して強固に固定されることになる。
【００２４】
さらに具体的に、一対の係止片３３，３３は、互いに対向する側の端面３３ａが略円弧面状に形成されている。このため、取付リブ１２、２２を嵌合凹部３１へ嵌入させるときに、取付リブ１２、２２の係止部１４、２４を係止片３３の略円弧面状の端面３３ａに押し付けると、取付リブ１２、２２は端面３３ａにガイドされて嵌合凹部３１の内側へ移動するとともに、一対の挟持部３２、３２を互いに離間する方向に押し広げて弾性変形させ、一対の挟持部３２、３２の間隔を拡張させることができる。これにより、取付リブ１２、２２が嵌合凹部３１に挿入される構成となっている。
竪樋２は、鉛直方向へ互いに所定の間隔をあけるように取り付けられた複数の竪樋支持具１によって壁面Ｔから支持されている。
【００２５】
係合凹部３１内には、図２に示すように、係合凹部３１の凹底面から突設された凸部３５が設けられている。凸部３５は、壁面Ｔに取り付けた固定レール１０の第２取付リブ１２に嵌合させた状態で上下方向の中間部に設けられており、第１取付リブ２２の頭部２２ａおよび第２取付リブ１２の頭部１０ａに当接することで、第１取付リブ２２および第２取付リブ１２を安定させた状態で保持する機能も有している。
また、凸部３５を挟んだ上下部分の切欠部分には、固定レール１０を壁面Ｔに固定する固定ビス１６の頭部が収容可能となっている。つまり、固定ビス１６の頭部が係合凹部３１内に収まるため、固定ビス１６の露出を無くすことができ、外観を良好にできる構成となっている。
【００２６】
次に、上述した竪樋支持具１を使用して竪樋２を壁面Ｔに取り付ける方法、および竪樋支持具１の作用効果について説明する。
図１に示すように、先ず、竪樋支持具１の固定レール１０を固定ビス１６により壁面Ｔに当接させて取り付ける。このとき、固定レール１０は、第２取付リブ１２の延長方向を竪樋２の軸方向に沿う方向に合せ、かつ取り付ける竪樋２に対向する位置となるように、例えば壁面Ｔから所定の離間だけ離れた位置に設けた水糸などを基準にして配置される。
次に、図２に示すように、固定レール１０の第２取付リブ１２に連結支持具３の一方の嵌合凹部３１を嵌入させることで、複数の連結支持具３を固定レール１０に所定の間隔をあけて取り付ける。
【００２７】
続いて、壁面Ｔに固定した複数の竪樋支持具１に竪樋２を固定する。具体的には、取付リブ２２を備えた竪樋２を、壁面Ｔに取り付けられた複数の竪樋支持具１近傍へ運び、竪樋２の取付リブ２２と竪樋支持具１の固定部１２とを対向させる。次に、竪樋２を竪樋支持具１側へ移動させて、取付リブ２２の係止部２４を挟持部１４の係止片１５へ押し付ける。そして、取付リブ２２の係止部１５を挟持部１４の係止片１５へ押し付けることで、一対の挟持部１４を互いに離間する方向へ弾性変形させ、一対の挟持部１４間の嵌合凹部１３へ取付リブ２２を嵌入させる。
これにより、一対の挟持部１４、１４が取付リブ２２を挟持するとともに、挟持部１４の係止片１５が竪樋２の溝部２５に挿入されて、竪樋２が竪樋支持具１に支持されるため、竪樋２は壁面Ｔに取り付けられる。
【００２８】
このように、複数の連結支持具３は、共通の固定レール１０の第２取付リブ１２に取り付けられるので、一定の姿勢に保持され、竪樋２の延在方向に配列させることができる。そのため、これら竪樋支持具１に対して竪樋２をスムーズに取り付けることができるとともに、竪樋支持具１に支持された竪樋２が歪んだり湾曲したりすることを防ぐことができる。
【００２９】
また、本発明では、固定レール１０を壁面Ｔに固定ビス１６で固定される構成であって、連結支持具３自体を固定ビス１６によって固定しない構成となることから、連結支持具３の構造を簡単にすることができる。しかも、固定レール１０を固定するための固定ビス１６を連結支持具３の直下に設けることで、そのビス頭部によって連結支持具３の垂れ下がりを防止することができる。
【００３０】
また、本実施の形態では、連結支持具３における一対の嵌合凹部３１がそれぞれ同形状で対称形になるので、第１取付リブ２２又は第２取付リブ１２を嵌入させる際に連結支持具３の向きを合わせる手間がなくなり、施工が容易になる利点がある。
【００３１】
以上、本発明による竪樋支持具の実施の形態について説明したが、本発明は上記の実施の形態に限定されるものではなく、その趣旨を逸脱しない範囲で適宜変更可能である。
例えば、上述の本実施の形態では、固定レール１０の第２取付リブ１２が竪樋２の第１取付リブ２２と同形状をなし、連結支持具３の両端の固定部３０に形成される嵌合凹部３１もそれぞれ同形状に形成された構成としているが、これに限定されることはない。つまり、固定レール１０の第２取付リブ１２と竪樋２の第１取付リブ２２とが異なる形状となる場合には、両端の嵌合凹部３１の形状がそれぞれ異なっていてもよい。
【００３２】
また、第１取付リブ２２および第２取付リブ１２の形状についても、本実施の形態に記載の軸部２３、１３、係止部２４、１４、溝部２５、１５からなる構成であることに制限されるものではなく、他の構成によるものであってもかまわない。
【００３３】
さらに、本実施の形態に固定レール１０は固定ビス１６によって固定されているが、他の固定部材であってもよし、固定箇所数もとくに限定されるものではない。
【００３４】
また、本実施の形態では、１本の固定レール１０において２つの連結支持具３を取り付ける構成であるが、連結支持具３の数量は複数であればよく、とくに制限されることはない。
【００３５】
その他、本発明の趣旨を逸脱しない範囲で、上記した実施の形態における構成要素を周知の構成要素に置き換えることは適宜可能である。
【符号の説明】
【００３６】
１  竪樋支持具
２  竪樋
３  連結支持具
１０  固定レール
１１  板状体
１２  第２取付リブ
１４  第２係止部
１５  第２溝部
１６  固定ビス
２１  筒状体
２２  第１取付リブ
２４  第１係止部
２５  第１溝部
３０  固定部
３１  嵌合凹部（第１嵌合凹部、第２嵌合凹部）
３２  挟持部
３３  係止片
Ｔ  壁面（外壁）
【図１】
0006434810.tif 000002
【図２】
0006434810.tif 000003
【図３】
0006434810.tif 000004
【図４】
0006434810.tif 000005